(57)【要約】      （修正有）【課題】油圧シリンダーにて往復摺動するビード抜き刃物の先端カギに引っ掛けて引っ張ることで廃タイヤのビードからビードワイヤーを除去する装置であって、搬入コンベヤに廃タイヤを載せることでビードワイヤーを除去して排出するビードワイヤー除去装置の提供。【解決手段】フレーム３には上記ビード抜き刃物４が摺動するガイド１８を設け、廃タイヤ１のビードワイヤーが引き抜かれる際に当るフロント板１１を有すと共に、該フロント板１１には中溝と両側溝にて形成されるビードワイヤー引き抜き溝を貫通して設けている。そしてフレーム上には搬入コンベヤ２を装着し、フロント板１１の正面には収容空間６を設けると共にスタッドを起立して昇降動するタイヤリフト５を取付け、該スタッドには潤滑油を噴射するノズルを備え、更に収容空間６の底には傾斜したシューター９を配置している。【選択図】図１
0003102982.tif 000002
【実用新案登録請求の範囲】
【請求項１】
油圧シリンダーにて往復摺動するビード抜き刃物の先端カギに引っ掛けて引っ張ることで廃タイヤのビードからビードワイヤーを除去する装置において、フレームには上記ビード抜き刃物が摺動するガイドを設け、廃タイヤのビードワイヤーが引き抜かれる際に当るフロント板を有すと共に、該フロント板には中溝と両側溝にて形成されるビードワイヤー引き抜き溝を貫通して設け、そしてフレーム上には搬入コンベヤを装着し、フロント板の正面には収容空間を設けると共にスタッドを起立して昇降動するタイヤリフトを取付け、該スタッドには潤滑油を噴射するノズルを備え、更に収容空間の底には傾斜したシューターを配置したことを特徴とするタイヤのビードワイヤー除去装置。
【請求項２】
上記ビードワイヤー引き抜き溝の中溝には開閉可能な溝カバーを取付けた請求項１記載のタイヤのビードワイヤー除去装置。
【考案の詳細な説明】
【技術分野】
【０００１】
本考案はタイヤのビードに埋着されている金属ワイヤーを効率よく除去する為に自動化した装置に関するものである。
【背景技術】
【０００２】
車社会である今日、大量の用済タイヤ(廃タイヤ)が発生し、この廃タイヤの処理が大きな環境問題と成っている。そこで、この廃タイヤの処理対策の１つとして燃料としての利用が行われ、重油や石炭の代わりに用いられる。コスト的にも若干や安くなり、燃焼効率も決して悪くはないが、大きなタイヤをそのままの形状にて使用することは出来ず、また、廃タイヤそのままの形態では運搬や保管が困難であることから、細かく切断されている。
【０００３】
細かくすることで石炭の運搬や保管と同じように取り扱うことが可能となって、廃タイヤの燃料としての利用が便利となる。そこで、該廃タイヤは細かく切断されることになるが、この廃タイヤ切断装置としては実開昭５７−１０１０２２号に係る「ゴムタイヤその他の固形物用裁断機」が知られている。この裁断機は刃物基体の下面に放射状に配列して取着した多数のブレードを設けてタイヤを押圧・切断する構造と成っている訳で、ブレードの押圧は油圧シリンダーの作動で行われる。
【０００４】
すなわち、上フレームに油圧シリンダーを備え、刃物基体は油圧シリンダーのピストンロッド端に取着し、ピストンロッドが伸びるならば刃物基体並びにブレードが降下して収容ベースに置かれている廃タイヤを切断する。この場合、上記廃タイヤはそのままの形状にて切断されるために、切断片は比較的大きく、又切断に際してブレードが降下すればタイヤは歪に変形して切断片の形状は崩れて均一な大きさとは成らない。
【０００５】
そこで、廃タイヤをリング状に一旦輪切りした状態で切断するならば、歪に変形することが少なく成って、均一な切断片が得られる。ところで、タイヤにはそのビードに金属製のワイヤーが埋着されていて、ホイールに装着されたタイヤは簡単に外れないように成っている。そこで、廃タイヤを細かく切断するに際して、ビードワイヤーはそのまま切断され、切断片にはビードワイヤーが残された状態にある。
【０００６】
切断片に金属製ワイヤーが残っているならば、これを燃料として炉で燃焼する場合、ワイヤーは燃焼することなく溶融して炉の内壁面に溶着し、炉の寿命を短縮する。従って、炉内に残留するワイヤー又は溶融した金属片を時々除去しなくてはならない。また、タイヤビードに金属製ワイヤーが埋着している廃タイヤをそのままブレードにて切断するならば、該ブレードの刃先は直ちに摩耗し、時には刃こぼれが発生し、ブレードは切れ止んでしまう。
【０００７】
そこで、廃タイヤのビードに埋着されているワイヤーを除去することが必要となり、その為の装置や除去方法が色々知られている。例えば、特開平９−２６２８３３号に係る「タイヤのビードワイヤの除去方法」、特開２０００−４３０４６号に係る「タイヤ処理装置」、特開２０００−１２７１６７号に係る「ビードワイヤ引き抜き装置」、特開２０００−２５４９２０号に係る「廃タイヤ処理方法及びその装置」
が主なものである。
【特許文献１】特開平９−２６２８３３号に係る「タイヤのビードワイヤの除去方法」
【特許文献２】特開２０００−４３０４６号に係る「タイヤ処理装置」
【特許文献３】特開２０００−１２７１６７号に係る「ビードワイヤ引き抜き装置」
【特許文献４】特開２０００−２５４９２０号に係る「廃タイヤ処理方法及びその装置」
【考案の開示】
【考案が解決しようとする課題】
【０００８】
このように、従来のタイヤのビードワイヤー除去装置を用いてビードワイヤーを除去するには手間がかかる。本考案が解決しようとする課題はこの問題点であり、ビードに埋着されているワイヤーが途中で切れることなく効率よく抜き取ることが出来るように自動化されたビードワイヤー除去装置を提供する。
【課題を解決するための手段】
【０００９】
本考案のビードワイヤー除去装置は、往復摺動するビード抜き刃物を有し、該ビード抜き刃物先端はカギ型を成してビードに埋着しているワイヤーに係止して引き抜くことが出来る形態を構成している。ビード抜き刃物はタイヤ受け板に形成したワイヤー引抜き溝を貫通して突出し、タイヤのビードに係止することが出来、ビード抜き刃物が後退することでビードに食い込んでビードワイヤーに係止する。
【００１０】
ビード抜き刃物がビードワイヤーに係止して後退する場合、タイヤはタイヤ受けに当って停止し、ビードワイヤーだけがビードから抜き取られる。ここで、タイヤ受け板にはビード抜き刃物が通過する中溝と該中溝と中心として両側へ傾斜して延びる側溝とで形成され、中溝と両側溝は連続している。そして、中溝の下側には溝カバーが取付けられ、溝カバーはビード抜き刃物の突出にて押し倒されて開くことが出来、後退するならば独りでに閉じることが出来る。
【００１１】
そして、フレーム上には搬入コンベヤを備え、搬入コンベヤに載って搬送される廃タイヤは前方から収容空間に投入されると共に、収容空間に昇降可能に装着されるタイヤリフトに載置される。タイヤリフトに載って所定の高さに保持された廃タイヤのホイール穴に突出したビード抜き刃物が貫通し、タイヤリフトが降下するならば、廃タイヤはビード抜き刃物に吊設される。そしてビード抜き刃物が後退するならば、先端カギはビードに食い込んでビードワイヤーに係止して抜き取ることが出来る。抜き取られた廃タイヤは傾斜したシューターに落下して排出される。
【考案の効果】
【００１２】
本考案に係るタイヤのビードワイヤー除去装置は、タイヤ受け板に形成されるワイヤー引抜き溝は中溝と両側溝を有し、中溝には開閉可能な溝カバーが取付けられている。そこで、溝カバーを倒して突出したビード抜き刃物はビードに食い込んでワイヤーに係止し、この状態でビード抜き刃物が後退するならばワイヤーはビードから引き抜かれる。
【００１３】
ワイヤーはビード抜き刃物にて引っ張られることで両側溝にガイドされ、しかしワイヤーは中溝に嵌ることはない。すなわち、中溝には溝カバーが取付けられて塞がっている為に中溝に嵌り落ちることはなく、ワイヤーに作用する張力は過大にならず、該ワイヤーは破断することなく全て抜き取られる。
【００１４】
そして、搬入コンベヤから送り出される廃タイヤは収容空間へ落下すると共にタイヤリフトに載って支持され、ビード抜き刃物に吊設されたところで該ビード抜き刃物が後退するならばビードワイヤーは抜き取られる。ビードワイヤーが除去された廃タイヤはシューター上に落下して排出される。このように、廃タイヤを搬入コンベヤに載せるだけで、その後の工程はすべて自動化され、ビードワイヤーが除去された廃タイヤが排出される。
【実施例】
【００１５】
図１はタイヤのビードワイヤー除去装置を示す実施例であり、同図の１は廃タイヤ、２は搬入コンベヤ、３はフレーム、４はビード抜き刃物、５はタイヤリフトを夫々表している。廃タイヤ１，１・・は搬入コンベヤ２に載って送られ、フレーム３の前方に設けている収容空間６に投入され、上記タイヤリフト５に載置される。タイヤリフト５は所定の間隔をおいた２本の水平棒を有し、リフト用シリンダー７によって昇降動することが出来る。
【００１６】
搬入コンベヤ２の後方は低く傾斜し、廃タイヤ１を載せ易くしている。そして、搬入コンベヤ２には細いローラが配列していて、これらローラが回転して載せられた廃タイヤ１は前方方向へ移動することが出来、先端にて停止する。先端には搬入センサー８が取付けられ、該搬入センサー８にて廃タイヤ１が搬入コンベヤの先端に存在することが確認される。
【００１７】
収容空間６にビードワイヤーが除去された廃タイヤ１が存在しないことを確認したところで、先端に位置する廃タイヤ１は搬入コンベヤ２が作動して該収容空間６に投入されて、タイヤリフト５に載って支持され、タイヤリフトが降下することでビード抜き刃物に吊設される。この状態でビード抜き刃物４にてビードワイヤーが抜き取られ、ビードワイヤーが抜き取られた廃タイヤ１は落下し、傾斜したシューター９に沿って転がり排出される。
【００１８】
廃タイヤ１がシューター９から排出されるならば、その状態を排出センサー１０が感知して、収容空間６に廃タイヤ１が存在しないことが確認され、搬入コンベヤ２が作動して先端に位置する別の廃タイヤ１が収容空間６へ落下してタイヤリフト５に載って支持される。以下、このビードワイヤー除去装置の動作を図２〜図８に基づいて説明する。
【００１９】
図２は収容空間６のタイヤリフト５にタイヤ１が載っていない場合で、フレーム３のフロント板１１にノズル１２から潤滑油を噴射・塗布する。この場合、タイヤリフト５は上昇していて、落下する廃タイヤ１を支持し易く成っている。そして、フロント板１１の中央には受け板１３が設けられ、該受け板１３にはワイヤー引き抜き溝１４が貫通して設けられている。該ビードワイヤー引き抜き溝１４は中溝と該中溝の両側に側溝が傾斜して設けられている。そして、中溝には溝カバー１５が開閉可能に取付けられている。
【００２０】
図３はタイヤリフト５の水平棒１６，１６に廃タイヤ１が載って支持されている場合を示しているが、該廃タイヤ１は搬入コンベヤ２の先端から落下し、タイヤリフト５の２本の水平棒１６，１６に載置される。搬入コンベヤ２は収容空間６に廃タイヤ１が存在しないことを確認したところで搬入コンベヤ２が作動して廃タイヤ１が落下する。
【００２１】
図４はビード抜き刃物４が受け板１３のワイヤー引抜き溝１４を貫通して突出した場合である。ビード抜き刃物４は油圧シリンダー１７の作動にてピストンロッドが延びることで突出し、フレーム３にはビード抜き刃物４が往復摺動する為のガイド１８が設けられている。ビード抜き刃物４の先端にはカギ１９が形成され、廃タイヤ１のビードに食い込んでビードワイヤーに係止することが出来る。
【００２２】
従って、先端カギ１９はタイヤリフト５に載って支持されている廃タイヤ１のホイール穴を通過して、該廃タイヤ１より前方へ突出する。ここで、上記ビード抜き刃物４は中溝に設けている溝カバー１５を押倒すことで開口して突出することが出来る。そして、ビード抜き刃物４が後退するならば、溝カバー１５は起立して中溝を閉じることになる。
【００２３】
図５に示すようにタイヤリフト５が降下するならば、廃タイヤ１は突出したビード抜き刃物４に吊下がることが出来る。ここで、タイヤリフト５の水平棒１６，１６はシューター９に設けている溝に嵌っている。そして、ノズル１２から潤滑油を噴射してタイヤビードに吹き付ける。これは、ビード抜き刃物４のカギ１９がビードワイヤーに係止してビードから引き抜く際の摩耗を抑制する為である。
【００２４】
図６はビード抜き刃物４が後退してビードワイヤー２０を引っ張っている場合であり、廃タイヤ１はフロント板１１に当って支持され、ビードワイヤー２０だけがビード抜き刃物４によってタイヤビードから引き抜かれる。この場合、ビードワイヤー２０，２０は側溝に嵌ってガイドされ、ビードから引き抜かれる両ビードワイヤー２０，２０はバランスして引かれる。そして、作用する張力のバランスが崩れて片方のビードワイヤー２０が中溝側へ移動しても、溝カバー１５にて塞がれている為に該中溝に嵌ることなく引き抜かれる。
【００２５】
図７は２本のビードワイヤー２０，２０がタイヤビードから抜き取られた場合である。そして、両ビードワイヤー２０，２０が抜き取られるならば、フロント板１１に当って保持されている廃タイヤ１は落下する。そして、図８に示すように、シューター９に落下した廃タイヤ１は転がって排出される。この排出は排出センサー１０にて感知され、収容空間６に廃タイヤ１が存在しないことが確認され、タイヤリフト５が上昇して搬入コンベヤ２が作動し、別の廃タイヤが落下することが出来る。
【図面の簡単な説明】
【００２６】
【図１】本考案に係るタイヤのビードワイヤー除去装置を示す実施例。
【図２】廃タイヤが存在しない収容空間のフロント板に潤滑油を噴射する工程。
【図３】タイヤリフタに廃タイヤが載った場合。
【図４】ビード抜き刃物が突出した場合。
【図５】廃タイヤが降下してビード抜き刃物に吊設された場合。
【図６】ビード抜き刃物によってビードワイヤーが引き抜かれている場合。
【図７】ビードワイヤーがタイヤビードから引き抜かれた場合。
【図８】ビードワイヤーの内廃タイヤが排出された場合。
【符号の説明】
【００２７】
１  廃タイヤ
２  搬入コンベヤ
３  フレーム
４  ビード抜き刃物
５  タイヤリフト
６  収容空間
７  リフト用シリンダー
８  搬入センサー
９  シューター
10  搬出センサー
11  フロント板
12  ノズル
13  受け板
14  ビードワイヤー引き抜き溝
15  溝カバー
16  水平棒
17  油圧シリンダー
18  ガイド
19  カギ
20  ビードワイヤー
【図１】
0003102982.tif 000003
【図２】
0003102982.tif 000004
【図３】
0003102982.tif 000005
【図４】
0003102982.tif 000006
【図５】
0003102982.tif 000007
【図６】
0003102982.tif 000008
【図７】
0003102982.tif 000009
【図８】
0003102982.tif 000010